(57)【要約】【課題】動画記録中に静止画記録を行う場合に表示用動画や記録用動画がフリーズ又はブラックアウトしてしまうことを低減することが可能で、加えて、消費電力を抑えることができる撮像装置を提供することを目的とする。【解決手段】フレーム画像を複数のフィールド画像に分割して順次出力する撮像部２と、フィールド画像から動画表示用の画像データを生成する第１の画像処理部３と、動画表示用の画像データを表示する表示部６と、フィールド画像を記憶する記憶部９と、動画記録指示出力部１１から動画記録指示が出力されると、記憶部９により記憶される複数のフィールド画像のうち所定のフィールド画像を合成して動画記録用の画像データｖや静止画記録用の画像データｓを生成する第２の画像処理部４と、動画記録用の画像データｖや静止画記録用の画像データｓを記録する記録部８とを備えて撮像装置１を構成する。【選択図】図１
2010193193.tif 000002
【特許請求の範囲】
【請求項１】
フレーム画像を複数のフィールド画像に分割して順次出力する撮像部と、
前記撮像部から順次出力されるフィールド画像から表示用の画像データを生成して出力する第１の画像処理部と、
前記第１の画像処理部から出力される表示用の画像データを表示する表示部と、
前記撮像部から順次出力されるフィールド画像を記憶する記憶部と、
動画記録指示を出力する動画記録指示出力部と、
静止画記録指示を出力する静止画記録指示出力部と、
前記動画記録指示出力部から動画記録指示が出力されると、前記記憶部により記憶される複数のフィールド画像のうち所定のフィールド画像を合成して動画記録用の画像データを生成し、前記静止画記録指示出力部から静止画記録指示が出力されると、前記記憶部により記憶される複数のフィールド画像のうち所定のフィールド画像を合成して静止画記録用の画像データを生成する第２の画像処理部と、
前記第２の画像処理部により生成される動画記録用の画像データ又は静止画記録用の画像データを記録する記録部と、
を備えることを特徴とする撮像装置。
【請求項２】
請求項１に記載の撮像装置であって、
第１のフィールド乗算部と、第２のフィールド乗算部と、フィールド加算部とを有する巡回型演算部と、
フィールド間引き合成部と、
を備え、
前記第１のフィールド乗算部は、前記撮像部から順次出力されるフィールド画像に第１の所定値を乗算し、
前記第２のフィールド乗算部は、前記フィールド加算部から出力されるフィールド画像に第２の所定値を乗算し、
前記フィールド加算部は、前記第１のフィールド乗算部から出力されるフィールド画像と、前記第２のフィールド乗算部から出力されるフィールド画像とを加算し、その加算後のフィールド画像を出力し、
前記フィールド間引き合成部は、前記表示部の表示フレームレートに応じて、前記フィールド加算部から出力されるフィールド画像を間引く又は合成する
ことを特徴とする撮像装置。
【請求項３】
請求項１又は請求項２に記載の撮像装置であって、
前記第２の画像処理部は、前記動画記録用の画像データを生成した後に、前記静止画記録用の画像データを生成する
ことを特徴とする撮像装置。
【発明の詳細な説明】
【技術分野】
【０００１】
本発明は、静止画および動画の記録を行うことが可能な撮像装置に関する。
【背景技術】
【０００２】
一般に、デジタルカメラなどの撮像装置には、撮像画像をＬＣＤ（Ｌｉｑｕｉｄ  Ｃｒｙｓｔａｌ  Ｄｉｓｐｌａｙ）等にリアルタイムに表示するスルー画（表示用動画）表示機能が備えられている。また、撮像素子の高速化、高性能化に伴い、静止画の記録の他に動画の記録を行なうことが可能な撮像装置が存在する（例えば、特許文献１参照）。
【先行技術文献】
【特許文献】
【０００３】
【特許文献１】特開２００１−１２８０３６号公報
【発明の概要】
【発明が解決しようとする課題】
【０００４】
近年の撮像素子の多画素化により、画像処理に扱われる画素数が多くなってきており、画像処理部にかかる負荷が大きくなっている。そのため、上述のような静止画および動画の記録を行うことが可能な撮像装置において、動画記録中に静止画を記録しようとする場合、画像処理部と画像処理に使われるメモリとをつなぐバスの帯域使用量が増大し、所定時間内に動画および静止画の画像処理を完結することが困難になってきており、その間、表示用動画や記録用動画がフリーズしたり表示用動画や記録用動画がブラックアウトしてしまうおそれがある。また、上述のような静止画および動画の記録を行うことが可能な撮像装置において、動画記録中に静止画を連続して記録しようとする場合では、動画記録のための画像処理が行われない期間が増えフリーズ期間やブラックアウト期間が長くなってしまう。
【０００５】
また、上述のような静止画および動画の記録を行うことが可能な撮像装置において、動画記録中に静止画を記録しようとする場合では、画像処理と画像処理に使われるメモリをつなぐバスの帯域を高速で、かつ、広い帯域にする必要があり、消費電力が増加してしまう。
【０００６】
そこで、本発明では、動画記録中に静止画記録を行う場合に表示用動画や記録用動画がフリーズ又はブラックアウトしてしまうことを低減することが可能で、加えて、消費電力を抑えることのできる撮像装置を提供することを目的とする。
【課題を解決するための手段】
【０００７】
本発明の撮像装置は、フレーム画像を複数のフィールド画像に分割して順次出力する撮像部手段と、前記撮像部手段から順次出力されるフィールド画像から動画表示用の画像データを生成して出力する第１の画像処理部手段と、前記第１の画像処理手段部から出力される動画表示用の画像データを表示する表示部手段と、前記撮像手段部から順次出力されるフィールド画像を記憶する記憶部手段と、動画記録指示を出力する動画記録指示出力部手段と、静止画記録指示を出力する静止画記録指示出力部手段と、前記動画記録指示出力手段部から動画記録指示が出力されると、前記記憶手段部により記憶される複数のフィールド画像のうち所定のフィールド画像を合成して動画記録用の画像データを生成し、前記静止画記録指示出力手段部から静止画記録指示が出力されると、前記記憶手段部により記憶される複数のフィールド画像のうち所定のフィールド画像を合成して静止画記録用の画像データを生成する第２の画像処理部フィールド合成手段と、前記第２の画像処理部フィールド合成手段により生成される動画記録用の画像データ又は及び静止画記録用の画像データを記録する記録手段部とを備える。
【０００８】
また、本発明の撮像装置は、第１のフィールド乗算部と、第２のフィールド乗算部と、フィールド加算部とを有する巡回型演算部と、フィールド間引き合成部とを備え、前記第１のフィールド乗算部は、前記撮像部から順次出力されるフィールド画像に第１の所定値を乗算し、前記第２のフィールド乗算部は、前記フィールド加算部から出力されるフィールド画像に第２の所定値を乗算し、前記フィールド加算部は、前記第１のフィールド乗算部から出力されるフィールド画像と、前記第２のフィールド乗算部から出力されるフィールド画像とを加算し、その加算後のフィールド画像を出力し、前記フィールド間引き合成部は、前記表示部の表示フレームレートに応じて、前記フィールド加算部から出力されるフィールド画像を間引く又は合成するように構成してもよい。
【０００９】
また、前記第２の画像処理部は、前記動画記録用の画像データを生成した後に、前記静止画記録用の画像データを生成するように構成してもよい。
【発明の効果】
【００１０】
本発明によれば、静止画および動画を記録可能な撮像装置において、動画記録中に静止画記録を行う場合に表示用動画や記録用動画がフリーズ又はブラックアウトしてしまうことを低減することが可能で、加えて、消費電力を抑えることができる。
【図面の簡単な説明】
【００１１】
【図１】本発明の第１実施形態の撮像装置を示す図である。
【図２】第１実施形態の撮像装置におけるデータの流れを示す図である。
【図３】フレーム画像Ｆ及びフィールド画像ｆの一例を示す図である。
【図４】フィールド合成部の一例を示す図である。
【図５】本発明の第２実施形態の撮像装置を示す図である。
【図６Ａ】第２実施形態の撮像装置におけるデータの流れを示す図である。
【図６Ｂ】巡回型画像処理部におけるデータの流れを示す図である。
【図７】動画の記録中に静止画を記録する場合の動画表示用の画像データ、動画記録用の画像データ、及び静止画記録用の画像データのそれぞれの入出力タイミングチャートの一例を示す図である。
【図８】動画の記録中に複数の静止画を連続して記録する場合の動画表示用の画像データ、動画記録用の画像データ、及び静止画記録用の画像データのそれぞれの入出力タイミングチャートの一例を示す図である。
【図９】動画の記録完了後に静止画を記録する場合の動画表示用の画像データ、動画記録用の画像データ、及び静止画記録用の画像データのそれぞれの入出力タイミングチャートの一例を示す図である。
【図１０Ａ】第１の画像処理部の他の構成を示す図である。
【図１０Ｂ】第２の画像処理部の他の構成を示す図である。
【図１０Ｃ】解像度変換部の一例を示す図である。
【発明を実施するための形態】
【００１２】
＜第１実施形態＞
図１は、本発明の第１実施形態の撮像装置を示す図である。また、図２は、第１実施形態の撮像装置におけるデータの流れを示す図である。
【００１３】
図１又は図２に示す撮像装置１は、撮像部２と、第１の画像処理部３と、第２の画像処理部４と、表示処理部５と、表示部６と、記録処理部７と、記録部８（例えば、Ｆｌａｓｈメモリ）と、記憶部９（例えば、ＤＲＡＭ（Ｄｙｎａｍｉｃ  Ｒａｎｄｏｍ  Ａｃｃｅｓｓ  Ｍｅｍｏｒｙ））と、静止画記録指示出力部１０と、動画記録指示出力部１１と、撮像記憶制御部１２とを備え、撮像部２、第１の画像処理部３、第２の画像処理部４、表示処理部５、記録処理部７、及び記憶部９がそれぞれバス２０を介して接続されている。なお、第１実施形態の撮像装置１及び後述する第２実施形態の撮像装置において、１秒間に撮像部２からフィールド画像が出力される回数（以下、フィールド画像レートという）と、表示部６において１秒間に動画表示用の画像データが表示される回数（以下、表示フレームレートという）とが互いに同じになるように構成されているものとする。
【００１４】
撮像記憶制御部１２は、ユーザ操作などにより動画記録指示出力部１１から動画記録開始指示及び動画記録終了指示が送られるとともに、静止画記録指示出力部１０から静止画記録指示が送られてくると、撮像部２、第１の画像処理部３、第２の画像処理部４、表示処理部５、表示部６、記録処理部７、及び記録部８のそれぞれの動作を制御して動画記録用の動画データや静止画記録用の画像データを生成させる。
【００１５】
撮像部２は、撮像記憶制御部１２から送られてくる分割指示に基づいて、水平方向及び垂直方向に並ぶ各画素からの電気信号（不図示のレンズにより撮像素子１３に結像される被写体からの光に対応する電気信号）のうち所定の電気信号のみを出力することが可能な撮像素子１３を備えており、撮像素子１３から出力される所定の電気信号によりフィールド画像ｆを生成し第１の画像処理部３及び記憶部９にそれぞれ出力する。上記分割指示は、撮像素子１３の全画素により得られるフレーム画像Ｆを重複無く複数のフィールド画像ｆに分割した場合にその複数のフィールド画像ｆが撮像部２から順次出力されるように設定されているものとする。
【００１６】
図３は、フレーム画像Ｆ及びフィールド画像ｆの一例を示す図である。なお、図３は、フレーム画像Ｆを４つのフィールド画像ｆ１１〜ｆ１４に分割する場合を示しており、説明を簡単にするために、フレーム画像Ｆの画素数を８×８に、フィールド画像ｆ１１〜ｆ１４のそれぞれの画素数を４×４にしている。
【００１７】
第１実施形態の撮像装置１において、フィールド画像ｆ１１〜ｆ１４は、それぞれ、画像データＦ１の各画素のうちベイヤー配列のＲ、Ｇ、Ｇ、及びＢからなる画像単位（カラー画像を構成することが可能な最小画像単位）を４つ備えて構成されており、それら画像単位は画像データＦ１の各画像単位において１つ置きに位置している。
【００１８】
例えば、フィールド画像ｆ１１は、Ｒ１１、Ｇ１２、Ｇ２１、及びＢ２２からなる画素単位ｆ１１−１と、Ｒ１５、Ｇ１６、Ｇ２５、及びＢ２６からなる画素単位ｆ１１−２と、Ｒ５１、Ｇ５２、Ｇ６１、及びＢ６２からなる画素単位ｆ１１−３と、Ｒ５５、Ｇ５６、Ｇ６５、及びＢ６６からなる画素単位ｆ１１−４とで構成されている。画素単位ｆ１１−２はフィールド画像ｆ１２の画素単位ｆ１２−１を介して画素単位ｆ１１−１の右方向に位置する画素単位であり、画素単位ｆ１１−３はフィールド画像ｆ１３の画素単位ｆ１３−１を介して画素単位ｆ１１−１の下方向に位置する画素単位であり、画素単位ｆ１１−４はフィールド画像ｆ１４の画素単位ｆ１４−１を介して画素単位ｆ１１−１の斜め右下方向に位置する画素単位である。
【００１９】
なお、フィールド画像ｆは、動画に適した画素数で構成され、動画に適したフレームレートで撮像素子１３から読み出されるものとする。
また、２つ以上置きに位置する画素単位同士によりフィールド画像ｆを構成してもよい。
【００２０】
このように、カラー画像を構成することが可能な最小画像単位によりフィールド画像ｆを構成することにより、フィールド画像ｆを用いて画像表示用動画を生成したり、フィールド画像ｆ同士を合成することにより記録用動画や記録用静止画を生成することができる。
【００２１】
また、図１又は図２に示す第１の画像処理部３は、第１の画像演算部１４を備えており、第１の画像演算部１４において、撮像部２から順次出力される各フィールド画像ｆに対して、それぞれ、ベイヤー補間処理、マトリクス処理、解像度変換処理、輪郭強調処理等のカラー化画像処理やその他の画像処理を行い、動画表示用の画像データｆを生成する。
【００２２】
表示処理部５は、第１の画像処理部３から順次出力される動画表示用の画像データｆに対して、それぞれ、リサイズ処理など表示に必要な画像処理を行う。
表示部６は、例えば、ＬＣＤであって、表示処理部５から順次出力される動画表示用の画像データｆを表示する。
【００２３】
第２の画像処理部４は、フィールド合成部１５と、第２の画像演算部１６とを備えている。
フィールド合成部１５は、動画記録指示出力部１１から動画記録指示が出力されると、記憶部９に記憶されている各フィールド画像ｆのうちの所定のフィールド画像ｆを互いに合成することにより動画記録用の画像データｖを生成し、静止画記録指示出力部１０から静止画記録指示が出力されると、記憶部９に記憶されている各フィールド画像ｆのうちの所定のフィールド画像ｆを互いに合成することにより静止画記録用の画像データｓを生成する。なお、上述したように、フィールド合成部１５においてフィールド画像を合成する際、撮像部２から順次出力される各フィールド画像ｆが一旦記憶部９に記憶される。そのため、第２の画像処理部４において動画記録用の画像データと静止画記録用の画像データとを同時に生成する場合に、バス２０の帯域使用量が上限値を超えないようにバス２０の帯域幅を設定しておく。
【００２４】
ここで、図４は、図３に示すフレーム画像Ｆ及びフィールド画像ｆを扱う場合のフィールド合成部１５の一例を示す図である。
図４に示すフィールド合成部１５は、フィールド画像ｆの各画素にそれぞれ対応する１６個の空間フィルタ１７−１〜１７−１６を備えている。
【００２５】
各空間フィルタ１７−１〜１７−１６は、それぞれ、加算部１８と、演算部１９とを備えている。
加算部１８は、撮像記憶制御部１２の読出し制御に基づいて記憶部９から読み出されたフィールド画像ｆ１１〜ｆ１４における同一位置の各画素のうち、所定の画素を互いに加算し出力する。例えば、動画用の画像データｖを生成する場合、空間フィルタ１７−１の加算部１８は、記憶部９から読み出されたＲ１１、Ｒ１３、・・・のうち所定の画素を互いに加算し出力する。また、静止画用の画像データｓを生成する場合、空間フィルタ１７−１の加算部１８は、記憶部９から読み出されたＲ１１、Ｒ１３、・・・を全て加算し出力する。
【００２６】
演算部１９は、加算部１８から出力される画素に所定値を乗算し出力する。例えば、動画用の画像データｖを生成する場合、空間フィルタ１７−１の演算部１９は、加算部１８から出力された画素に１／２を乗算し出力する。また、静止画用の画像データｓを生成する場合、空間フィルタ１７−１の演算部１９は、加算部１８から出力された画素に１／４を乗算し出力する。
【００２７】
これにより、フィールド合成部１５は、例えば、フィールド画像ｆ１１、ｆ３１を合成して動画用の画像データｖを生成したり、フィールド画像ｆ１１〜ｆ１４を合成して静止画用の画像データｓを生成することができる。
【００２８】
また、図１又は図２に示す第２の画像演算部１６は、フィールド合成部１５により生成される画像データｖや画像データｓに対して、ベイヤー補間処理、マトリクス処理、解像度変換処理、輪郭強調処理等のカラー化画像処理やその他の画像処理を行う。
【００２９】
記録処理部７は、第２の画像処理部４から出力される画像データｖや画像データｓに対してＪＰＥＧ圧縮処理など記録に必要な画像処理を行う。
記録部８は、記録処理部７から出力される画像データｖや画像データｓを記録する。
【００３０】
このように第１実施形態の撮像装置１では、フレーム画像Ｆを複数のフィールド画像ｆに分割し、それらフィールド画像ｆに基づいて動画表示用の動画データを生成したり、それらフィールド画像ｆを合成して動画記録用の画像データｖや静止画記録用の画像データｓを生成することができるので、動画記録中に静止画記録を行う場合に表示用動画や記録用動画がフリーズ又はブラックアウトしてしまうことがない。
【００３１】
＜第２実施形態＞
図５は、本発明の第２実施形態の撮像装置を示す図である。また、図６Ａは、第２実施形態の撮像装置におけるデータの流れを示す図である。なお、図１又は図２に示す構成と同じ構成には同じ符号を付しその説明を省略する。
【００３２】
第２実施形態の撮像装置２１において、第１実施形態の撮像装置１と異なる点は、巡回型画像処理部２２をさらに備えている点である。
巡回型画像処理部２２は、撮像部２から順次出力される各フィールド画像ｆに対して、それぞれ、巡回型画像処理を行い、巡回型画像処理後のフィールド画像を一旦記憶部９に記憶した後、第１の画像処理部３及び第２の画像処理部４にそれぞれ出力する。なお、巡回型画像処理後のフィールド画像を直接第１の画像処理部３に出力してもよい。
【００３３】
図６Ｂは、巡回型画像処理部２２におけるデータの流れを示す図である。
巡回型画像処理部２２は、巡回画像演算部２３と、フィールド間引き合成部２４とを備えている。
【００３４】
巡回画像演算部２３は、いわゆる巡回型のノイズリダクションであって、第１のフィールド乗算部２５と、第２のフィールド乗算部２６と、フィールド加算部２７とを備えている。
【００３５】
第１のフィールド乗算部２５は、撮像部２から順次出力されるフィールド画像ｆを（１−ｋ）倍して出力する。（０≦ｋ≦１）
フィールド加算部２７は、第１のフィールド乗算部２５から出力されるフィールド画像ｆと、第２のフィールド乗算部２６から出力されるフィールド画像ｆとを加算して出力する。
【００３６】
第２のフィールド乗算部２６は、フィールド加算部２７から順次出力されるフィールド画像をｋ倍して出力する。
フィールド間引き合成部２４は、フィールド加算部２７から順次出力されるフィールド画像ｆのうち所定のフィールド画像を間引く、又は、合成して第１の画像処理部３及び記憶部９に出力する。
【００３７】
以降の動作は、第１実施形態の撮像装置１と同様であるため説明を省略する。
第２実施形態の撮像装置２１においても、第１実施形態の撮像装置１と同様に、フレーム画像を複数のフィールド画像に分割し、それらフィールド画像ｆを動画表示用の動画データとしたり、それらフィールド画像ｆを合成して動画記録用の画像データｖ及び静止画記録用の画像データｓを生成することができるので、動画記録中に静止画記録を行う場合に表示用動画や記録用動画がフリーズ又はブラックアウトしてしまうことがない。
【００３８】
また、第２実施形態の撮像装置２１では、巡回型画像処理部２２で扱われる画像がフィールド画像であるため、巡回型画像処理部２２を高速レートで動作させることができ、連続するフィールド画像間の相関度を高めることができる。そのため、巡回型のノイズリダクション処理により表示用動画や記録用動画に生じる残像を低減することができる。
【００３９】
なお、第１実施形態の撮像装置１又は第２実施形態の撮像装置２１において、フィールド画像レートは、表示フレームレートと異なっていてもよい。例えば、フィールド画像レートが、表示フレームレートよりも大きいときは、第１の画像処理部３において所定のフィールド画像ｆを間引くように構成してもよい。また、フィールド画像レートが、表示フレームレートよりも小さいときは、同一フィールド画像ｆを繰り返して表示するか、又は、所定のフィールド画像ｆを互いに合成して補間用のフィールド画像ｆ’を生成するように構成してもよい。このように、フィールド画像を繰り返し表示したり、補間用のフィールド画像を生成する場合は、撮像部２から出力されるフィールド画像ｆを一旦記憶部９に保持させる必要がある。
【００４０】
図７は、第１実施形態の撮像装置１又は第２実施形態の撮像装置２１において、動画の記録中に静止画を記録する場合の動画表示用の画像データｆ、動画記録用の画像データｖ、及び静止画記録用の画像データｓのそれぞれの入出力タイミングチャートの一例を示す図である。なお、表示フレームレートを６０［ｆｐｓ］（１／６０［ｓ］）とし、１秒間に動画記録用の画像データｖが記録される回数（以下、動画記録レートという）を３０［ｆｐｓ］（１／３０［ｓ］）とし、１秒間に静止画記録用の画像データｓが記録される回数（以下、静止画記録レートという）を１０［ｆｐｓ］（１／１０［ｓ］）とする。また、時刻ｔ０〜時刻ｔ２においてフレーム画像Ｆ１のフィールド画像ｆ１１〜ｆ１４にそれぞれ対応する動画表示用の画像データｆ１１〜ｆ１４が表示部６に表示され、時刻ｔ２〜時刻ｔ３においてフレーム画像Ｆ２のフィールド画像ｆ２１〜ｆ２４にそれぞれ対応する動画表示用の画像データｆ２１〜ｆ２４が表示部６に表示され、時刻ｔ３〜時刻ｔ５においてフレーム画像Ｆ３のフィールド画像ｆ３１〜ｆ３４にそれぞれ対応する動画表示用の画像データｆ３１〜ｆ３４が表示部６に表示され、時刻ｔ５〜時刻ｔ８においてフレーム画像Ｆ４のフィールドｆ４１〜ｆ４４にそれぞれ対応する動画表示用の画像データｆ４１〜ｆ４４が表示部６に表示されるものとする。なお、図７では、説明を簡単にするため、撮像入力と動画表示出力とが互いに同じタイミングになっているが、実際には、画像データｆを画像処理した結果が表示されるために、動画表示出力タイミングは撮像入力タイミングよりも遅れる。
【００４１】
このような場合において、時刻ｔ０において動画記録開始指示が動画記録指示出力部１１から出力されると、画像データｆ１３が表示された直後の時刻ｔ１においてフィールド画像ｆ１１、ｆ１３を合成した画像データｖ１が記録部８に記録される。その後、フィールド画像ｆ１２、ｆ１４を合成した画像データｖ２、フィールド画像ｆ２１、ｆ２３を合成した画像データｖ３、及びフィールド画像ｆ２２、ｆ２４を合成した画像データｖ４が連続して記録部８に記録される。そして、画像データｆ３２が表示された直後の時刻ｔ４において動画記録終了指示が動画記録指示出力部１１から出力されると、フィールド画像ｆ３１、ｆ３３を合成した画像データｖ５が記録部８に記録され動画記録処理が終了する。
【００４２】
また、画像データｆ２１が表示される直前の時刻ｔ２において１枚分の静止画記録指示が静止画記録指示出力部１０から出力されると、画像データｆ２４が表示された直後の時刻ｔ３においてフィールド画像ｆ２１〜ｆ２４を合成した画像データｓ１の記録部８への記録が開始される。その後、時刻ｔ７において静止画記録処理が終了する。
【００４３】
なお、図７の例では、動画表示開始と同じタイミングで動画記録開始指示が出力される構成であるが、動画記録開始指示は動画表示開始と異なるタイミングで出力されてもよい。
【００４４】
また、フィールド画像ｆの合成に用いられるフィールド画像ｆの組み合わせは特に限定されない。例えば、フィールド画像ｆ１１、ｆ１２を合成して画像データｖ１を生成するなど、撮像部２から順次読み出される各フィールド画像ｆのうち隣接した２つのフィールド画像を合成して画像データｖを生成してもよい。このように構成する場合では、画像データｆ１２が表示された直後に画像データｖ１の記録を開始させることができるため、画像データｖ１の記録開始タイミングを１フィールド画像分早めることができる。
【００４５】
図８は、第１実施形態の撮像装置１又は第２実施形態の撮像装置２１において、動画の記録中に複数の静止画を連続して記録する場合の動画表示用の画像データｆ、動画記録用の画像データｖ、及び静止画記録用の画像データｓのそれぞれの入出力タイミングチャートの一例を示す図である。
【００４６】
図８では、時刻ｔ２において、２枚分の静止画記録指示が静止画記録指示出力部１０から出力されると、時刻ｔ３〜時刻ｔ７においてフィールド画像ｆ２１〜ｆ２４を合成した画像データｓ１が記録部８に記録され、時刻ｔ７〜時刻ｔ９においてフィールド画像ｆ３１〜ｆ３４を合成した画像データｓ２が記録部８に記録される。
【００４７】
なお、２枚目以降の画像データｓを生成する際、互いに異なるフレーム画像Ｆのフィールド画像ｆを使用してもよい。例えば、画像データｓ１の記録が完了する直前に記憶部９から読み出される４つの分のフィールド画像ｆとして、フレーム画像Ｆ３のフィールド画像ｆ３３、ｆ３４と、フレーム画像Ｆ４のフィールド画像ｆ４１、ｆ４２とを合成して画像データｓ２を生成してもよい。このように構成する場合は、画像データｓ２を生成するためにフィールド画像ｆ３１、ｆ３２を記憶部９に長時間保持しておく必要が無くなり、その分記憶部９を有効利用することができる。
【００４８】
図９は、第１実施形態の撮像装置１又は第２実施形態の撮像装置２１において、動画の記録完了後に静止画を記録する場合の動画表示用の画像データｆ、動画記録用の画像データｖ、及び静止画記録用の画像データｓのそれぞれの入出力タイミングチャートの一例を示す図である。
【００４９】
図９では、時刻ｔ２において、１枚分の静止画記録指示が静止画記録指示出力部１０から出力されると、画像データｖ５の記録処理が終了する時刻ｔ６において、記憶部９に記憶されているフィールド画像ｆ２１〜ｆ２４が合成されて画像データｓ１が生成され記録部８に記録される。その後、時刻ｔ９において静止画記録処理が終了する。
【００５０】
なお、連続して複数の画像データｓを記録させる場合も同様に、画像データｖ５の記録処理が終了する時刻ｔ６において複数の画像データｓの記録処理が開始される。
このように、静止画記録を動画記録中に行わず動画記録完了後に行う場合は、動画記録中に静止画記録を行う場合に比べて、記憶部９のバス帯域の使用量を低減でき、したがって、消費電力を抑えることが可能になる。
【００５１】
ここで、例えば、１２Ｍ画素のフレーム画像Ｆを３Ｍ画素ずつ４つのフィールド画像ｆに分割する場合を考える。
このとき、表示部６の表示可能画素数が０．７５Ｍ画素である場合、例えば、図１０Ａに示すように、第１の画像処理部３内の解像度変換部２８により４つのフィールド画像ｆのそれぞれの画素数を１／４にする。
【００５２】
また、記録部８の記録可能画素数が１．５Ｍ画素である場合は、例えば、図１０Ｂに示すように、第２の画像処理部４内のフィールド合成部１５により所定の２つのフィールド画像を合成した後、その合成後のフィールド画像をフィールド合成部１５内の解像度変換部２８により１／４にする。このように、第２の画像演算部１６の前段で解像度変換部２８により画素数を少なくすることにより第２の画像演算部１６の処理帯域を低減することができ、低消費電力効果を高めることができる。
【００５３】
なお、解像度変換部２８は、フィールド合成部１５内でなく第２の画像演算部１６の後段に設けてもよい。
図１０Ｃは、解像度変換部２８の一例を示す図である。
図１０Ｃに示す解像度変換部２８は、いわゆる空間フィルタであり、ｎ個のラインメモリ２９と、加算部３０と、演算部３１とを備えて構成される。
【００５４】
各ラインメモリ２９にそれぞれフィールド画像ｆの各ラインの画素が記憶されると、各ラインメモリ２９に記憶されたｎ個の画素及び直接解像度変換部２８に入力される画素が加算部３０に出力され、加算部３０においてｎ＋１個の画素が全て加算された後、演算部３１において１／ｎ＋１に演算される。
【００５５】
これにより、フィールド画像ｆの画素数を１／ｎ＋１にすることができる。
【符号の説明】
【００５６】
１  撮像装置
２  撮像部
３  第１の画像処理部
４  第２の画像処理部
５  表示処理部
６  表示部
７  記録処理部
８  記録部
９  記憶部
１０  静止画記録指示出力部
１１  動画記録指示出力部
１２  撮像記憶制御部
１３  撮像素子
１４  第１の画像演算部
１５  フィールド合成部
１６  第２の画像演算部
１７−１  空間フィルタ
１８  加算部
１９  演算部
２０  バス
２１  撮像装置
２２  巡回型画像処理部
２３  巡回画像演算部
２４  フィールド間引き合成部
２５  第１のフィールド乗算部
２６  第２のフィールド乗算部
２７  フィールド加算部
２８  解像度変換部
２９  メモリ
３０  加算部
３１  演算部
【図１】
2010193193.tif 000003
【図２】
2010193193.tif 000004
【図４】
2010193193.tif 000005
【図５】
2010193193.tif 000006
【図６Ａ】
2010193193.tif 000007
【図６Ｂ】
2010193193.tif 000008
【図１０Ａ】
2010193193.tif 000009
【図１０Ｂ】
2010193193.tif 000010
【図１０Ｃ】
2010193193.tif 000011
【図３】
2010193193.tif 000012
【図７】
2010193193.tif 000013
【図８】
2010193193.tif 000014
【図９】
2010193193.tif 000015